(57)【要約】【課題】使用者が電池交換を忘れにくいリモコンキーを提供する。【解決手段】施開錠信号を無線送信する無線送信部２３と、キーシリンダに差し込まれる差し込み部１２を備えたメカニカルキー部１０と、無線送信部２３とメカニカルキー部１０の差し込み部１２を収容するケース２０と、無線送信部２３に電力を供給するボタン型電池１５と、ボタン型電池１５を収容する電池収容部１４とを備えるリモコンキー１であって、メカニカルキー部１０は、ケース２０から分離可能であり、メカニカルキー部１０の差し込み部１２がケース２０に収容された状態では、ケース２０の突き出し部２２が、電池収容部１４の開口を塞いでいる。【選択図】図１
2016020579.tif 000002
【特許請求の範囲】
【請求項１】
施開錠信号を無線送信する無線送信部（２３）と、
キーシリンダに差し込まれる差し込み部（１２）を備えたメカニカルキー部（１０、１１０、２１０、３１０、４１０）と、
前記無線送信部と前記メカニカルキー部の前記差し込み部を収容するケース（２０、３２０、４２０）と、
前記無線送信部に電力を供給するボタン型電池（１５）と、
前記ボタン型電池を収容する電池収容部（１４、３２１、４２５）とを備えるリモコンキー（１、１００、３００、４００）であって、
前記メカニカルキー部は、前記ケースに対して相対移動して、前記差し込み部が前記キーシリンダに差し込み可能であり、
前記メカニカルキー部の前記差し込み部が前記ケースに収容された状態では、前記メカニカルキー部および前記ケースのうち、前記電池収容部を備えていない側である第１部材が、前記電池収容部の開口に隣接してその電池収容部の軸方向に位置しており、
前記メカニカルキー部の差し込み部が前記ケースに収容されていない状態では、前記第１部材は、前記電池収容部の軸方向に位置していないことを特徴とするリモコンキー。
【請求項２】
請求項１において、
前記メカニカルキー部（１０）は、前記ケース（２０）から分離可能であって、前記差し込み部に連結し、前記差し込み部を前記キーシリンダに差し込む際に使用者が把持する把持部（１１）を備えており、
前記第１部材は前記メカニカルキー部であり、前記電池収容部（１４）は前記把持部に備えられていることを特徴とするリモコンキー。
【請求項３】
請求項２において、
前記ケースは、
前記無線送信部を収容するとともに、前記メカニカルキー部の前記差し込み部を収容するケース本体部（２１）と、
前記ケース本体部から突き出し、前記メカニカルキー部の把持部と対向して、前記電池収容部の蓋となる突き出し部（２２）と
を備えていることを特徴とするリモコンキー。
【請求項４】
請求項１において、
前記メカニカルキー部（３１０）は、前記ケース（３２０）から分離可能であって、前記差し込み部に連結し、前記差し込み部を前記キーシリンダに差し込む際に使用者が把持する把持部（３１１）を備えており、
前記ケースは、
前記無線送信部を収容するとともに、前記メカニカルキー部の前記差し込み部を収容するケース本体部（２１）と、
前記ケース本体部から突き出し、前記メカニカルキー部の前記差し込み部が前記ケース本体部に収容されている状態で、前記メカニカルキー部の把持部と対向する突き出し部（３２２）を備えており、
前記電池収容部（３２１）は、前記突き出し部に形成されており、この電池収容部の開口は、前記メカニカルキー部の前記把持部に対向する面（３２２ａ）に形成されていることを特徴とするリモコンキー。
【請求項５】
請求項４において、
前記メカニカルキー部の前記把持部は、前記メカニカルキー部の前記差し込み部が前記ケース本体部に収容された状態では、前記電池収容部の開口を塞ぐことを特徴とするリモコンキー。
【請求項６】
請求項１において、
前記メカニカルキー部（４１０）の前記差し込み部は、長手方向に平行移動して、前記ケース（４２０）から突き出した状態と、前記ケースに収容された状態とが可能であり、
前記メカニカルキー部は、前記差し込み部に連結し、前記差し込み部を前記ケースに対して平行移動させる際に、使用者が操作力を加える操作部（４１１）を備えており、
前記ケースは、前記メカニカルキー部の前記差し込み部が前記ケースから突き出している状態で、前記操作部と当接し、前記メカニカルキー部の前記差し込み部が、それ以上、前記ケースから離れる方向に移動することを阻止する当接部（４２１）を備え、
前記電池収容部（４２５）は、前記ケースにおいて、前記メカニカルキー部の前記差し込み部が前記ケースに収容されている状態で前記操作部に対向し、前記メカニカルキー部の前記差し込み部が前記ケースから突き出している状態では、前記操作部と対向しない位置に設けられていることを特徴とするリモコンキー。
【請求項７】
請求項２、４、６のいずれか１項において、
前記メカニカルキー部の前記差し込み部が前記ケースに収容されていない状態で露出し、前記電池収容部の開口を塞ぐ、透明な蓋部（１６）を備えていることを特徴とするリモコンキー。
【請求項８】
請求項２、４、６のいずれか１項において、
前記メカニカルキー部の前記差し込み部が前記ケースに収容されていない状態で露出し、前記電池収容部の開口を塞ぐ蓋部（１７）を備え、
前記蓋部に、電池交換を促す表示がされていることを特徴とするリモコンキー。
【発明の詳細な説明】
【技術分野】
【０００１】
本発明は、メカニカルキーを備えたリモコンキーに関する。
【背景技術】
【０００２】
リモコンキーは、無線により施開錠信号を送信する。この施開錠信号を送信するために、無線送信回路を備える。また、リモコンキーに施開錠スイッチがあり、このスイッチが押された場合に施開錠信号を送信するタイプでは、無線送信回路に電力を供給する電池を備えている。
【０００３】
この電池の電圧が低下した場合でも施錠、開錠ができるようにするために、メカニカルキーを備えたリモコンキーが知られている（たとえば、特許文献１）。特許文献１では、使用者が握る部分である握り部ケースにメカニカルキーの根元部分が収容されており、メカニカルキーの鍵穴に差し込む部分は、握り部ケースから突き出している。
【先行技術文献】
【特許文献】
【０００４】
【特許文献１】特開平１０−３１７７４４号公報
【発明の概要】
【発明が解決しようとする課題】
【０００５】
リモコンキーに加えてメカニカルキーが備えられていると、電池の消耗によりリモコンキーが使えなく、かつ、電池交換をする時間的余裕がないときでも、メカニカルキーを用いて施解錠ができる点では便利である。
【０００６】
しかし、リモコンキーを使わなくても施解錠ができてしまうと、電池交換を忘れてしまい、次回以降の施解錠時にも、また、メカニカルキーを用いて施解除をしなければならなくなってしまう可能性がある。リモコンキーがあるにもかかわらず、電池交換を忘れて、メカニカルキーを使い続けることは、リモコンキーの利便性を享受できない不便な状態が継続することになってしまう。
【０００７】
本発明は、この事情に基づいて成されたものであり、その目的とするところは、使用者が電池交換を忘れにくいリモコンキーを提供することにある。
【課題を解決するための手段】
【０００８】
その目的を達成するための請求項１記載の発明は、施開錠信号を無線送信する無線送信部（２３）と、キーシリンダに差し込まれる差し込み部（１２）を備えたメカニカルキー部（１０、１１０、２１０、３１０、４１０）と、無線送信部とメカニカルキー部の差し込み部を収容するケース（２０、３２０、４２０）と、無線送信部に電力を供給するボタン型電池（１５）と、ボタン型電池を収容する電池収容部（１４、３２１、４２５）とを備えるリモコンキー（１、１００、３００、４００）であって、
メカニカルキー部は、ケースに対して相対移動して、差し込み部がキーシリンダに差し込み可能であり、
メカニカルキー部の差し込み部がケースに収容された状態では、メカニカルキー部およびケースのうち、電池収容部を備えていない側である第１部材が、電池収容部の開口に隣接してその電池収容部の軸方向に位置しており、
メカニカルキー部の差し込み部がケースに収容されていない状態では、第１部材は、電池収容部の軸方向に位置していないことを特徴とする。
【０００９】
本発明では、メカニカルキー部の差し込み部がケースに収容された状態では、第１部材が、電池収容部の開口に隣接してその電池収容部の軸方向に位置している。したがって、メカニカルキー部の差し込み部がケースに収容された状態では、電池は視認することができず、また、電池収容部を塞ぐ蓋部を備えている場合には、その蓋部も視認することができない。
【００１０】
一方、メカニカルキー部の差し込み部がケースに収容されていない状態では、第１部材は電池収容部の軸方向に位置していない。したがって、メカニカルキー部の差し込み部がケースに収容されていない状態では、電池、あるいは、蓋部がある場合にはその蓋部を視認することができる。
【００１１】
特許文献１の構成では、メカニカルキーを使用するときに電池を視認することができないので、電池交換をしようとする動機付けが弱い。これに対して、本発明では、メカニカルキーを使用する際に、電池あるいは蓋部を視認することができる。しかも、無線送信部を使用して施解錠を行う通常時には、電池あるいは電池蓋は視認することができない。
【００１２】
通常時には視認することができない電池あるいは電池蓋が、メカニカルキーを使用することにより視認できるようになることで、電池あるいは電池蓋に注意が向くことになる。したがって、使用者は、電池交換を忘れにくくなる。
【００１３】
請求項２記載の発明では、メカニカルキー部（１０）は、ケース（２０）から分離可能であって、差し込み部に連結し、差し込み部をキーシリンダに差し込む際に使用者が把持する把持部（１１）を備えており、第１部材はメカニカルキー部であり、電池収容部（１４）は把持部に備えられている。
【００１４】
このようにすれば、メカニカルキーを使用する際に、使用者は、電池あるいは電池の蓋部を把持することになるので、電池に注意が向きやすい。したがって、より電池交換を忘れにくくなる。
【００１５】
請求項３記載の発明では、ケースは、無線送信部を収容するとともに、メカニカルキー部の差し込み部を収容するケース本体部（２１）と、ケース本体部から突き出し、メカニカルキー部の把持部と対向して、電池収容部の蓋となる突き出し部（２２）とを備えている。
【００１６】
このようにすれば、リモコンキー部の差し込み部をケース本体部から取り出すことにより、同時に、電池収容部は蓋が取り除かれた状態となり、電池を視認することができる。電池を視認できることから、電池交換を忘れにくくなる。
【００１７】
請求項４記載の発明では、メカニカルキー部（３１０）は、ケース（３２０）から分離可能であって、差し込み部に連結し、差し込み部をキーシリンダに差し込む際に使用者が把持する把持部（３１１）を備えており、
ケースは、無線送信部を収容するとともに、メカニカルキー部の差し込み部を収容するケース本体部（２１）と、ケース本体部から突き出し、メカニカルキー部の差し込み部がケース本体部に収容されている状態で、メカニカルキー部の把持部と対向する突き出し部（３２２）を備えており、電池収容部（３２１）は、突き出し部に形成されており、この電池収容部の開口は、メカニカルキー部の把持部に対向する面（３２２ａ）に形成されている。
【００１８】
一般に、人は物体を手に持って移動させる際、その物体が見える向きで移動操作を行う。したがって、メカニカルキー部をケースから分離させる際、使用者は、メカニカルキー部が見える向きで、メカニカルキー部を移動させることが多いと考えられる。本発明では、電池収容部がメカニカルキー部の把持部に対向して形成されているので、使用者が、把持部が見える向きでメカニカルキー部を移動させると、メカニカルキー部の移動により、使用者は、電池収容部あるいは電池収容部を塞ぐ蓋を視認する可能性が高い。これにより、使用者は、より電池交換を忘れにくくなる。
【００１９】
また、電池収容部がケースの一部である突き出し部に形成されているので、電池と無線送信部がともにケースに備えられることになる。したがって、電池をメカニカルキー部に設ける場合と異なり、メカニカルキー部とケースとに、それらを電気的に接続する端子を設ける必要がない。
【００２０】
請求項５記載の発明では、メカニカルキー部の把持部は、メカニカルキー部の差し込み部がケース本体部に収容された状態では、電池収容部の開口を塞ぐ。
【００２１】
この構成でも、リモコンキー部の差し込み部をケース本体部から取り出すことにより、同時に、電池収容部は蓋が取り除かれた状態となる。したがって、電池を視認することができるので電池交換を忘れにくくなる。
【００２２】
請求項６記載の発明では、メカニカルキー部（４１０）の差し込み部は、長手方向に平行移動して、ケース（４２０）から突き出した状態と、ケースに収容された状態とが可能であり、
メカニカルキー部は、差し込み部に連結し、差し込み部をケースに対して平行移動させる際に、使用者が操作力を加える操作部（４１１）を備えており、
ケースは、メカニカルキー部の差し込み部がケースから突き出している状態で、操作部と当接し、メカニカルキー部の差し込み部が、それ以上、ケースから離れる方向に移動することを阻止する当接部（４２１）を備え、
電池収容部（４２５）は、ケースにおいて、メカニカルキー部の差し込み部がケースに収容されている状態で操作部に対向し、メカニカルキー部の差し込み部がケースから突き出している状態では、操作部と対向しない位置に設けられている。
【００２３】
本発明では、電池収容部は、ケースにおいて、メカニカルキー部の差し込み部がケースから突き出している状態で操作部と対向しない位置に設けられているので、操作部を操作して、メカニカルキー部の差し込み部をケースから突き出させることで、同時に、電池収容部あるいは電池収容部を塞ぐ蓋部を備えている場合にはその蓋部を露出させることができる。
【００２４】
また、本発明では、メカニカルキー部の差し込み部がケースから突き出している状態で操作部と当接する当接部がケースに備えられている。この状態では、それ以上、ケースから離れる方向にメカニカルキー部が移動することが阻止される。したがって、本発明では、メカニカルキー部はケースから分離しない。そのため、メカニカルキーのみを紛失してしまうことを防止できる。
【００２５】
また、メカニカルキー部がケースから分離しないので、メカニカルキー部の差し込み部をケースから露出させた状態では、メカニカルキー部の把持部としてケースを使用することができる。
【００２６】
請求項７記載の発明では、メカニカルキー部の差し込み部がケースに収容されていない状態で露出し、電池収容部の開口を塞ぐ、透明な蓋部（１６）を備えている。
【００２７】
本発明によれば、蓋部を備えているので、メカニカルキー部の差し込み部がケースに収容されていない状態で、電池収容部から電池が脱落してしまうことを防止できる。しかも、蓋部が透明であるので、蓋部を介して電池収容部に収容されている電池を視認することができる。したがって、電池交換を忘れにくくなる効果が低下してしまうことも抑制できる。
【００２８】
請求項８記載の発明では、メカニカルキー部の差し込み部がケースに収容されていない状態で露出し、電池収容部の開口を塞ぐ蓋部（１７）を備え、蓋部に、電池交換を促す表示がされている。
【００２９】
本発明も、蓋部を備えているので、メカニカルキー部の差し込み部がケースに収容されていない状態で、電池収容部から電池が脱落してしまうことを防止できる。しかも、蓋部に電池交換を促す表示がされているので、電池交換を忘れにくくなる効果も得られる。
【図面の簡単な説明】
【００３０】
【図１】第１実施形態のリモコンキー１の側面図である。
【図２】図１のII矢視図である。
【図３】図１のIII矢視図である。
【図４】キー収容状態のリモコンキー１の側面図である。
【図５】第２実施形態のリモコンキー１００の側面図である。
【図６】図５のVI矢視図である。
【図７】第３実施形態のリモコンキーが備えるメカニカルキー部２１０を示す図である。
【図８】第４実施形態のリモコンキー３００の側面図である。
【図９】図８のIX矢視図である。
【図１０】キー収容状態のリモコンキー３００の側面図である。
【図１１】第５実施形態のリモコンキー４００の平面図である。
【図１２】図１１のXII−XII線断面図である。
【図１３】キー突き出し状態のリモコンキー４００の平面図である。
【図１４】図１３のXIV−XIV線断面図である。
【発明を実施するための形態】
【００３１】
＜第１実施形態＞
以下、本発明を実施するための形態を、図面を参照しながら説明する。図１は、第１実施形態のリモコンキー１の側面部である。図１に示すように、第１実施形態のリモコンキー１は、メカニカルキー部１０と、ケース２０とを備える。本実施形態のリモコンキー１は、セキュリティシステムが備える装置であり、セキュリティシステムが備えるホスト装置に対して、施開錠信号を送信する。
【００３２】
メカニカルキー部１０は、把持部１１、差し込み部１２を備えている。把持部１１の形状は直方体形状である。差し込み部１２は、把持部１１と連結しており、把持部１１の１つの側面１１ａから、その側面１１ａに垂直に突き出している。この差し込み部１２は、ホスト装置、あるいは、その他の所定の機器に備えられているキーシリンダに差し込まれて、施錠および解除を行う。
【００３３】
差し込み部１２が設けられている側面１１ａには、端子１３も設けられている。なお、図２に示すように、端子１３は２つ設けられている。また、把持部１１の裏面１１ｂには、電池収容部１４が形成されている。
【００３４】
電池収容部１４は、把持部１１の裏面１１ｂに開口する有底の穴であり、この電池収容部１４に、ケース２０に備えられている無線送信部２３に電力を供給するためのボタン型電池（以下、単に電池）１５が収容されている。したがって、電池収容部１４は、略円盤型の空間であり、電池収容部１４の軸方向は、電池収容部１４に収容された状態の電池１５の軸と略一致する。
【００３５】
電池１５と２つの端子１３は、把持部１１の内部にて電気的に接続されている。なお、メカニカルキー部１０が電池収容部１４を備えているので、第１実施形態では、ケース２０が、電池収容部１４を備えていない側、すなわち、第１部材となる。
【００３６】
ケース２０は、ケース本体部２１と、突き出し部２２とを備えている。ケース本体部２１は直方体形状であり、突き出し部２２は、ケース本体部２１において、メカニカルキー部１０の差し込み部１２が差し込まれる側面２１ａから垂直に突き出している平板体である。この突き出し部２２は、表面２２ａが把持部１１の裏面１１ｂと対向し、裏面２２ｂは、ケース本体部２１の裏面２１ｂと同一平面を構成する。なお、突き出し部２２の表面２２ａ、裏面２２ｂは、突き出し部２２において、最も面積の大きい一対の面である。
【００３７】
ケース本体部２１の内部には、無線送信部２３と収容穴部２４とが形成されている。また、ケース本体部２１の側面２１ａには、端子２５が設けられている。なお、端子２５は、図３に示すように、２つ設けられている。
【００３８】
無線送信部２３は、使用者が、リモコンキー１に設けられたボタンの操作を行うと、施錠開錠信号を無線送信する。
【００３９】
収容穴部２４は、メカニカルキー部１０の差し込み部１２を収容する長手形状の穴であり、収容穴部２４の開口は、ケース本体部２１の側面２１ａに形成されている。
【００４０】
図２に示すように、第１実施形態では、メカニカルキー部１０には、電池収容部１４の蓋はなく、メカニカルキー部１０がケース２０と分離している状態では、電池１５は露出した状態となる。また、図３に示すように、ケース２０が備える突き出し部２２は、平面視が矩形となる形状である。
【００４１】
図４に示すように、ケース２０の収容穴部２４に、メカニカルキー部１０の差し込み部１２が収容された状態（以下、キー収容状態）では、メカニカルキー部１０の把持部１１の側面１１ａと、ケース本体部２１の側面２１ａとが接しており、それらの側面１１ａ、２１ａに形成された端子１３、２５も互いに接触する。
【００４２】
また、キー収容状態では、把持部１１の裏面１１ｂと、ケース２０の突き出し部２２の表面２２ａも接触する。そのため、ケース２０の突き出し部２２が、把持部１１に形成されている電池収容部１４の蓋として機能する。
【００４３】
＜第１実施形態の効果＞
以上、説明した第１実施形態によれば、図４に示すキー収容状態では、ケース２０の突き出し部２２が、電池収容部１４の開口に隣接してその電池収容部１４の軸方向、換言すればその電池収容部１４の開口方向に位置しており、このケース２０の突き出し部２２が、電池収容部１４の開口を塞いでいる。したがって、キー収容状態では、電池１５は視認することができない。
【００４４】
一方、メカニカルキー部１０の差し込み部１２がケース２０に収容されていない状態（以下、キー取り出し状態）では、ケース２０の突き出し部２２は電池収容部１４の軸方向に位置しておらず、突き出し部２２は電池収容部１４の開口を塞いでいない。したがって、キー取り出し状態では、電池１５を視認することができる。
【００４５】
特許文献１の構成では、メカニカルキーを使用するときに、電池を視認することができないので、電池交換をしようとする動機付けが弱い。これに対して、本実施形態では、キー取り出し状態とすると、電池１５を視認することができる。しかも、無線送信部２３を使用して施解錠を行う通常時の状態であるキー収容状態では、電池１５は視認することができない。
【００４６】
通常時には視認することができない電池１５が、キー取り出し状態とすることにより視認できるようになることで、電池１５に注意が向くことになる。したがって、使用者は、電池交換を忘れにくくなる。
【００４７】
また、本実施形態では、ケース２０の突き出し部２２が電池収容部１４の蓋として機能しており、キー取り出し状態とすると、自動的に、電池収容部１４の蓋が取り除かれた状態になる。この点でも、電池交換を忘れにくくなる。
【００４８】
また、キー取り出し状態では、使用者は、差し込み部１２をキーシリンダに差し込んで施解錠操作を行うために、把持部１１を手に持つことになる。この把持部１１に電池収容部１４が形成されているので、使用者は、電池１５が脱落しないようにするために、電池１５を押さえながら施解錠操作を行うことになる。したがって、特に電池１５に注意が向きやすい。また、電池１５を押さえることが面倒である場合には、電池１５を電池収容部１４から取り出して、施解錠操作を行うことも考えられる。電圧が低下した電池１５を取り出す作業は、電池交換の作業の一部であることから、電池１５を電池収容部１４から取り出して施解錠操作を行う場合には、特に電池交換を忘れにくくなる。
【００４９】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００５０】
図５に第２実施形態のリモコンキー１００を示す。第２実施形態のリモコンキー１００は、第１実施形態と同じケース２０を備える。また、メカニカルキー部１１０は、把持部１１１の構成が、第１実施形態の把持部１１と異なる。
【００５１】
把持部１１１は、外形形状は、第１実施形態の把持部１１と同じである。把持部１１１が第１実施形態の把持部１１と異なる点は、電池収容部１４が、第１実施形態よりも把持部１１１の厚さ方向内側に形成されており、電池収容部１４の開口を塞ぐ蓋部１６を備えている点である。この蓋部１６の厚さ分だけ、第２実施形態の把持部１１１では、電池収容部１４の位置が、第１実施形態よりも把持部１１１の厚さ方向内側に形成されている。
【００５２】
この蓋部１６は無色透明の樹脂製である。したがって、図６に示すように、キー取り出し状態では、蓋部１６を介して、電池１５を視認することができる。
【００５３】
＜第２実施形態の効果＞
この第２実施形態では、蓋部１６を備えていることから、キー取り出し状態で、電池収容部１４から電池１５が脱落してしまうことを防止できる。しかも、蓋部１６が透明であるので、蓋部１６を介して電池１５を視認することができる。したがって、蓋部１６があることによって、電池交換を忘れにくくなる効果が低下してしまうことも抑制できる。
【００５４】
＜第３実施形態＞
図７は、第３実施形態のリモコンキーが備えるメカニカルキー部２１０を示している。図７のメカニカルキー部２１０は、第２実施形態のメカニカルキー部１１０が備える透明の蓋部１６に代えて、非透明の蓋部１７を備える。この蓋部１７には、電池交換を促す表示として、「電池交換必要」の文字が表されている。
【００５５】
蓋部１７が不透明であるため、蓋部１７を取り外さないと電池１５を視認することはできないが、蓋部１７に「電池交換必要」の文字が表されていることにより、電池交換を忘れにくくなる効果が低下してしまうことも抑制できる。また、蓋部１７があるので、キー取り出し状態で、電池収容部１４から電池１５が脱落してしまうことを防止できる。
【００５６】
＜第４実施形態＞
図８に示す第４実施形態のリモコンキー３００は、メカニカルキー部３１０が備える把持部３１１は電気的構成を備えていない。第４実施形態のリモコンキー３００では、ケース３２０が電池収容部３２１を備える。したがって、第４実施形態ではメカニカルキー部３１０が第１部材となる。
【００５７】
電池収容部３２１は、突き出し部３２２の表面３２２ａに開口して形成されている。突き出し部３２２は、電池収容部３２１が形成できるように、これまでの実施形態の突き出し部２２よりも厚くなっている。そして、突き出し部３２２が厚くなっている分、メカニカルキー部３１０の把持部３１１の厚さは、これまでの実施形態の把持部１１よりも薄くなっている。
【００５８】
図９に示すように、電池収容部３２１は突き出し部３２２の表面３２２ａの中央に形成されている。また、電池収容部３２１を塞ぐ蓋は設けられておらず、図９に示すキー取り出し状態では、電池１５が露出する。
【００５９】
図１０に示すキー収容状態では、把持部３１１において突き出し部３２２の表面３２２ａに対向する面と、その表面３２２ａとが接触する。そのため、把持部３１１が、電池収容部３２１の蓋として機能する。
【００６０】
＜第４実施形態の効果＞
この第４実施形態のように、ケース３２０の突き出し部３２２の表面３２２ａに電池収容部３２１を設けても、キー収容状態では、電池１５は、把持部３１１に隠されて視認することができない。そして、キー取り出し状態とすると、電池収容部３２１の蓋となっている把持部３１１が取り除かれて、電池１５が視認できるようになるので、電池１５に注意が向くことになる。したがって、使用者は、電池交換を忘れにくくなる。
【００６１】
また、一般に、人は物体を手に持って移動させる際、その物体が見える向きで移動操作を行う。したがって、メカニカルキー部３１０をケース３２０から分離させる際、使用者は、メカニカルキー部３１０が見える向きで、メカニカルキー部３１０を移動させることが多いと考えられる。キー収容状態で視認できるメカニカルキー部３１０の部分は把持部３１１であることから、把持部３１１が上になる向きで、メカニカルキー部３１０を移動させると考えられる。
【００６２】
電池収容部３２１は、この把持部３１１に対向して形成されているので、使用者が、把持部３１１が見える向きでメカニカルキー部３１０を移動させると、メカニカルキー部３１０の移動により、使用者は、電池収容部３２１を視認する可能性が高い。これにより、使用者は、より電池交換を忘れにくくなる。
【００６３】
また、電池収容部３２１がケース３２０の一部である突き出し部３２２に形成されているので、電池１５と無線送信部２３がともにケース３２０に備えられることになる。したがって、電池１５をメカニカルキー部３１０に設ける場合と異なり、メカニカルキー部３１０とケース３２０とに、それらを電気的に接続する端子を設ける必要がない。
【００６４】
＜第５実施形態＞
図１１は第５実施形態のリモコンキー４００の平面図であり、図１２は図１１のXII−XII断面図である。これら図１１、図１２に示す状態は、キー収容状態である。
【００６５】
メカニカルキー部４１０は、差し込み部１２と、操作部４１１とを備えている。操作部４１１は、非透明の樹脂製であり、基部４１２と凸部４１３を備える。基部４１２は矩形平板状であり、１つの端面４１２ａから差し込み部１２が突き出している。
【００６６】
凸部４１３は、端面４１２ａと対向する端面４１２ｃに沿って、基部４１２の表面４１２ｂから突き出している。この凸部４１３の上面には操作方向を示す操作マーク４１４が形成されている。
【００６７】
ケース４２０は、直方体形状の箱体であり、ケース４２０の表面４２０ａを備える上板部４２１には、その上板部４２１の厚さ方向に貫通する開口部４２２が形成されている。また、ケース４２０の内部には、上板部４２１を内壁面の一部とする収容穴４２３が形成されている。
【００６８】
収容穴４２３の形状は、メカニカルキー部４１０の差し込み部１２や、操作部４１１の基部４１２の差し込み部１２側の一部を収容できる形状である。この収容穴４２３の一端は、ケース４２０の端面４２０ｂに開口しており、他方の端は上板部４２１の開口部４２２と連通している。
【００６９】
この第５実施形態では、上板部４２１とともに収容穴４２３の内壁面を形成する内底部４２４に電池収容部４２５が形成され、この電池収容部４２５に電池１５が収容されている。
【００７０】
収容穴４２３にメカニカルキー部４１０の差し込み部１２が収容されているキー収容状態では、メカニカルキー部４１０の操作部４１１は電池収容部４２５に対向しており、操作部４１１が電池収容部４２５の開口を塞いでいる。したがって、キー収容状態では、電池収容部４２５に収容された電池１５は視認することができない。
【００７１】
収容穴４２３の一端はケース４２０の端面４２０ｂに開口しており、また、キー収容状態では、操作部４１１の凸部４１３は、開口部４２２の端に当接していない。また、操作部４１１の基部４１２は収容穴４２３に入る幅および厚さである。したがって、使用者が操作部４１１の凸部４１３をメカニカルキー部４１０の差し込み部１２の方向に移動させると、メカニカルキー部４１０の差し込み部１２は、その差し込み部１２の長手方向に平行移動して、ケース４２０から突き出した状態となる。
【００７２】
ケース４２０の上板部４２１は、請求項の当接部として機能しており、操作部４１１の凸部４１３がケース４２０の上板部４２１に当接すると、メカニカルキー部４１０の差し込み部１２がケース４２０から突き出している長さは最大となり、それ以上、ケース４２０から離れる方向に移動しない。メカニカルキー部４１０の差し込み部１２の突き出し長さが最大となっている状態を、以下、キー突き出し状態という。
【００７３】
図１３は、このキー突き出し状態のリモコンキー４００の平面図であり、図１４は図１３のXIV−XIV線断面図である。キー突き出し状態では、操作部４１１は、電池収容部４２５に対向していないため、電池収容部４２５は外部から視認することができる。
【００７４】
＜第５実施形態の効果＞
この第５実施形態のリモコンキー４００では、電池収容部４２５は、ケース４２０において、キー突き出し状態で操作部４１１と対向しない位置に設けられている。したがって、操作部４１１に操作力を加えてキー突き出し状態とすることで、同時に、電池収容部４２５を露出させることができる。
【００７５】
また、キー突き出し状態では、操作部４１１は上板部４２１に当接しており、それ以上、ケース４２０から離れる方向にメカニカルキー部４１０が移動することが阻止される。したがって、メカニカルキー部４１０はケース４２０から分離しない。そのため、メカニカルキー部４１０のみを紛失してしまうことを防止できる。
【００７６】
また、メカニカルキー部４１０がケース４２０から分離しないので、メカニカルキー部４１０の差し込み部１２をケース４２０から露出させた状態では、メカニカルキー部４１０の把持部としてケース４２０を使用することができる。
【００７７】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。
【００７８】
＜変形例１＞
たとえば、第４実施形態のリモコンキー３００において、ケース３２０に電池収容部３２１の開口を塞ぐ透明な蓋部、あるいは、電池交換を促す表示がされている蓋部を設けてもよい。
【００７９】
＜変形例２＞
また、第５実施形態のリモコンキー４００に、キー突き出し状態で電池収容部４２５の開口を塞ぐ透明な蓋部、あるいは、電池交換を促す表示がされている蓋部を設けてもよい。
【符号の説明】
【００８０】
１：リモコンキー、    １０：メカニカルキー部、    １１：把持部、    １２：込み部、    １３：端子、    １４：電池収容部、    １５：電池、    １６：蓋部、    １７：蓋部、    ２０：ケース、    ２１：ケース本体部、    ２２：突き出し部、    ２３：無線送信部、    ２４：収容穴部、    ２５：端子、    １００：リモコンキー、    １１０：メカニカルキー部、    １１１：把持部、    ２１０：メカニカルキー部、    ３００：リモコンキー、    ３１０：メカニカルキー部、    ３１１：把持部、    ３２０：ケース、    ３２１：電池収容部、    ３２２：突き出し部、    ４００：リモコンキー、    ４１０：メカニカルキー部、    ４１１：操作部、    ４１２：基部、    ４１３：凸部、    ４１４：操作マーク、    ４２０：ケース、    ４２１：上板部、    ４２２：開口部、    ４２３：収容穴、    ４２４：内底部、    ４２５：電池収容部
【図１】
2016020579.tif 000003
【図２】
2016020579.tif 000004
【図３】
2016020579.tif 000005
【図４】
2016020579.tif 000006
【図５】
2016020579.tif 000007
【図６】
2016020579.tif 000008
【図７】
2016020579.tif 000009
【図８】
2016020579.tif 000010
【図９】
2016020579.tif 000011
【図１０】
2016020579.tif 000012
【図１１】
2016020579.tif 000013
【図１２】
2016020579.tif 000014
【図１３】
2016020579.tif 000015
【図１４】
2016020579.tif 000016